(57)【要約】      （修正有）【課題】車両姿勢が変化した場合であっても、実景の特定の領域に対して表示を維持させることができる。【解決手段】車両２の姿勢変化に基づき、前方検出部３００を移動または／および回転させ、前方検出部３００が報知対象Ｗの位置に関する情報をＨＵＤ１００に出力する範囲である検出領域３２０の位置を実景３の所定の基準実景領域３ｒと重なる位置に調整する。さらに、虚像２０１が報知対象Ｗと所定の位置関係を保つ位置に表示されるように、車両２の姿勢変化に基づいて、画像表示部１０の表示面に表示される表示画像の位置を補正する。【選択図】図１
2016185768.tif 000002
【特許請求の範囲】
【請求項１】
車両に搭載され、前記車両の前方の実景から報知対象を検出可能であり、所定の検出領域に存在する前記報知対象の位置に関する報知対象位置情報を生成する前方検出部と、
前記前方検出部が生成した前記報知対象位置情報に基づいて、前記報知対象と所定の位置関係を保つ位置に虚像を表示可能な仮想的な虚像領域を生成するヘッドアップディスプレイと、を備える車両用表示システムであって、
前記車両の姿勢に関する情報を含む車両姿勢情報を取得する車両姿勢情報取得手段と、
前記前方検出部を回転または回転および移動させることで前記検出領域を移動させるアクチュエータと、
前記車両姿勢情報取得手段が取得した前記車両姿勢情報に基づいて前記アクチュエータを制御し、前記検出領域が前記車両前方の実景のうち特定の領域を含むように移動させるアクチュエータ制御部と、を備え、
前記ヘッドアップディスプレイは、前記車両姿勢情報取得手段が取得した前記車両姿勢情報、もしくは前記アクチュエータ制御部が前記アクチュエータを制御する制御量に関する制御量情報に基づいて、前記虚像が前記報知対象と前記位置関係を保つ位置に表示されるように前記虚像の位置を調整する、
ことを特徴とする車両用表示システム。
【請求項２】
前記検出領域が重なる前記実景の領域は、前記虚像領域が重なる前記実景の領域よりも狭い、
ことを特徴とする請求項１に記載の車両用表示システム。
【請求項３】
前記報知対象位置情報は、前記検出領域内における前記報知対象の相対的な位置情報を含む、
ことを特徴とする請求項１または２に記載の車両用表示システム。
【発明の詳細な説明】
【技術分野】
【０００１】
本発明は、虚像を表示する車両用表示システムに関するものである。
【背景技術】
【０００２】
車両用表示システムは、例えば、自車両前方の風景（実景）に重畳画像を重ねて表示することで、実景に情報などを付加したり、実景における所定の箇所を強調したりする拡張現実（ＡＲ：Ａｕｇｍｅｎｔｅｄ  Ｒｅａｌｉｔｙ）を生成し、車両運転するユーザの視線移動を極力抑えつつ、所望の情報を的確に提供することで、安全で快適な車両運行に寄与するヘッドアップディスプレイを用いるものである。
【０００３】
例えば特許文献１は、表示装置を開示し、この表示装置は、コンバイナに表示画像を投射することで視認者に虚像を視認させる。特許文献１に開示されるような表示装置は、車両前方の実景（車線）に案内経路を示す矢印などの虚像を重畳させることで、視認者が視線を大きく移動することなく経路案内情報などを認識させている。
【先行技術文献】
【特許文献】
【０００４】
【特許文献１】特開２０１１−１２１４０１号公報
【発明の概要】
【発明が解決しようとする課題】
【０００５】
例えば、車両の後部の荷室に荷物を積んだりした場合、車両前方が鉛直方向上側に上がってしまい、ヘッドアップディスプレイの虚像を表示する表示領域と、実景の特定の領域とがずれてしまうことがある。通常、実景の特定の領域に対して虚像を表示できていたとしても、前述したように車両姿勢の変化により、ヘッドアップディスプレイの表示領域と実景の特定領域とがずれてしまうことで、実景の特定の領域に対して所望の虚像を重畳して表示できないという問題があった。
【０００６】
本発明の１つの目的は、車両姿勢が変化した場合であっても、実景の特定領域に対して表示を維持させることができる車両用表示システムを提供することである。
【課題を解決するための手段】
【０００７】
本発明における車両用表示システムは、車両に搭載され、前記車両の前方の実景から報知対象を検出可能であり、所定の検出領域に存在する前記報知対象の位置に関する報知対象位置情報を生成する前方検出部と、前記前方検出部が生成した前記報知対象位置情報に基づいて、前記報知対象と所定の位置関係を保つ位置に虚像を表示可能な仮想的な虚像領域を生成するヘッドアップディスプレイと、を備える車両用表示システムであって、前記車両の姿勢に関する情報を含む車両姿勢情報を取得する車両姿勢情報取得手段と、前記前方検出部を回転または回転および移動させることで前記検出領域を移動させるアクチュエータと、前記車両姿勢情報取得手段が取得した前記車両姿勢情報に基づいて前記アクチュエータを制御し、前記検出領域が前記車両前方の実景のうち特定の領域を含むように移動させるアクチュエータ制御部と、を備え、前記ヘッドアップディスプレイは、前記車両姿勢情報取得手段が取得した前記車両姿勢情報、もしくは前記アクチュエータ制御部が前記アクチュエータを制御する制御量に関する制御量情報に基づいて、前記虚像が前記報知対象と前記位置関係を保つ位置に表示されるように前記虚像の位置を調整する。
【発明の効果】
【０００８】
車両姿勢が変化した場合であっても、実景の特定領域に対して表示を維持させることができる。
【図面の簡単な説明】
【０００９】
【図１】本発明の車両用表示システムの構成の例を示す図である。
【図２】図１に示される画像表示部の構成の例を示す図である。
【図３】図１に示される制御部の構成の例を示す図である。
【図４】図１に示される前方検出部の検出領域と基準実景領域との位置関係を説明する図であり、（ａ）は、検出領域が基準実景領域に重なっている場合を示し、（ｂ）は、検出領域が基準実景領域からずれている場合を示す。
【図５】図１に示される車両用表示システムが実行する補正処理の例を示すフローチャートである。
【図６】図１に示される車両用表示システムが実行する表示処理の例を示すフローチャートである。
【図７】図１に示されるヘッドアップディスプレイが実行する補正処理の過程を示した図であり、（ａ）〜（ｄ）の左図は、実空間におけるＸ−Ｙ平面における、実景と前方検出部の検出可能領域及び検出領域との位置関係を示した図であり、（ａ）〜（ｄ）の右図は、実空間におけるＸ−Ｙ平面における実景とヘッドアップディスプレイが生成する仮想的な虚像領域との位置関係を示した図である。
【発明を実施するための形態】
【００１０】
以下に説明する実施形態は、本発明を容易に理解するために用いられ、当業者は、本発明が以下に説明される実施形態によって不当に限定されないことを留意すべきである。
【００１１】
図１を参照して、本発明の車両用表示システム１の構成と、ヘッドアップディスプレイ（以下、ＨＵＤと記載）１００の構成と、ＨＵＤ１００が生成する仮想的な虚像領域２００について説明する。以下の説明を容易にするために、図１に示されるように、実空間において、例えば、車両２の前方を向いた左右方向をＸ軸（右方向がＸ軸正方向）に規定し、鉛直方向をＹ軸（鉛直方向上側がＹ軸正方向）に規定し、前後方向をＺ軸（前方向がＺ軸正方向）に規定する。
【００１２】
図１に示すように、本実施形態の車両用表示システム１は、ＨＵＤ１００と、前方検出部３００と、アクチュエータ４００と、車両姿勢検出部５００とを備える。ＨＵＤ１００は、車両（移動体の一適用例）２に搭載される。例えばＨＵＤ１００は、車両２のフロントウインドシールド（透過反射部の一例）２ａの一部に車両情報等の画像光Ｋを投影する。フロントウインドシールド２ａは、画像光Ｋを視認者側のアイボックスＥに向けて反射する。視認者は、視点（視認者の眼の位置）をアイボックスＥ内におくことで、フロントウインドシールド２ａを介した前方に仮想的に生成される虚像領域２００内で虚像２０１を視認することができる。なお、虚像２０１は、アイボックスＥ（視点の位置）から前方方向（車両２の進行方向）に、例えば、５ｍ〜１０ｍの位置に離れて視認される。なお、図１において、虚像領域２００を１つのみ記載しているが、後述する画像表示部１０を複数備える、または／および後述するリレー光学系２０に基づき画像表示部１０から出射される画像光Ｋの結像距離を調整する、など公知の技術を用いることで、アイボックスＥからの距離が異なる複数の虚像領域２００を生成し、それぞれの虚像領域２００上に虚像２０１を表示してもよい。
【００１３】
図１の車両２には、車両２の前方にある先行車両や障害物など、視認者に報知すべき報知対象Ｗを検出する前方検出部３００が搭載されている。図１の前方検出部３００は、例えば、車両２の前方の実景３を撮像する撮像部（図示しない）と、この撮像部が撮像した前方撮像画像（前方情報）を解析する画像解析部（図示しない）と、を備える。前記撮像部は、例えば、単眼または複眼の可視光カメラや赤外線カメラなどであり、前記画像解析部は、例えば、公知の画像処理、パターンマッチング法などを用いて前記撮像部が撮像した撮像画像を画像解析することで、車両２の前方における前方情報（車線、白線、停止線、歩行者、先行車両、障害物などの位置や大きさ）などを検出し、報知対象Ｗの位置に関する情報をＨＵＤ１００（制御部３０）に出力する。前方検出部３００は、所定の検出可能領域３１０を有し、検出可能領域３１０に含まれる実景３において報知対象Ｗを検出可能である。また、前方検出部３００は、検出可能領域３１０内に検出可能領域３１０よりも狭い所定の検出領域３２０を有し、この検出領域３２０は、実景３内の特定の領域である基準実景領域３ｒを含むように設定される。前方検出部３００は、検出領域３２０に含まれる実景３（基準実景領域３ｒ）に存在する報知対象Ｗの位置を報知対象位置情報（以下では、報知対象位置とも呼ぶ）ＷＰとしてＨＵＤ１００（制御部３０）に出力する。
【００１４】
報知対象位置情報ＷＰは、例えば、車両２の左右方向に沿ったＸ軸方向の座標と、鉛直方向に沿ったＹ軸方向の座標と、により少なくとも構成される。報知対象位置情報ＷＰは、具体的に例えば、検出領域３２０内にある所定の基準点Ｏを基準としたＸ座標とＹ座標により報知対象Ｗの位置を示す。報知対象位置情報ＷＰの報知対象Ｗの位置を示す座標の基準点Ｏは、検出領域３２０内でなくても、例えば検出可能領域３１０内の所定の位置であってもよい。なお、報知対象位置情報ＷＰを生成する対象となる基準実景領域３ｒの位置は、予め設定される不変の位置であってもよく、また、所定の条件に基づいて自動的に設定されてもよく、また、視認者が適宜調整可能であってもよい。
【００１５】
なお、前方検出部３００は、前述した可視光カメラや赤外線カメラ以外に、レーザーレーダー、ミリ波レーダー、超音波センサ、その他の公知のセンサ等を有していてもよい。このとき、前方検出部３００は、レーザーレーダー、ミリ波レーダー、超音波センサ、その他の公知のセンサ等が出力する前方情報を入力して解析することによって、前述したよう報知対象位置情報ＷＰを生成してもよい。また、前方検出部３００は、前述したようなカメラやセンサを複数種類用いて、これらが出力するデータを組み合わせて解析することで前述したような前方検出部３００を生成してもよい。
【００１６】
また、図１の車両２には、前方検出部３００を回転または回転および移動させることで、検出領域３２０の位置を調整するアクチュエータ４００が搭載されている。以下の説明では、前方検出部３００を回転または回転および移動させることを、単に前方検出部３００の角度を調整する、ともいう。アクチュエータ４００は、例えば、ＤＣモータやステッピングモータなどからなる駆動部（図示しない）と、前記駆動部からの動力を前方検出部３００に伝達し、前方検出部３００の角度を調整する駆動機構（図示しない）と、を備える。アクチュエータ４００は、後述する制御部３０からの駆動データＴに基づいて制御される。
【００１７】
また、図１の車両２には、車両２の姿勢を検出する車両姿勢検出部５００が搭載されている。車両姿勢検出部５００は、例えば、三軸加速度センサ（図示しない）と、前記三軸加速度センサが検出した三軸加速度を解析することで、水平面を基準とした車両２のピッチ角（車両姿勢）を推定し、車両２のピッチ角に関する情報を含む車両姿勢情報ＧをＨＵＤ１００（制御部３０）に出力する。なお、車両姿勢検出部５００は、前述した三軸加速度センサ以外に、車両２のサスペンション近傍に配置されるハイトセンサ（図示しない）で構成されてもよい。このとき、車両姿勢検出部５００は、前記ハイトセンサが検出する車両２の地面からの高さを解析することで、前述したように車両２のピッチ角を推定し、車両２のピッチ角に関する情報を含む車両姿勢情報ＧをＨＵＤ１００（制御部３０）に出力する。なお、車両姿勢検出部５００が、車両２のピッチ角を求める方法は、前述した方法に限定されず、公知のセンサや解析方法を用いて車両２のピッチ角を求めてもよい。さらに、車両姿勢検出部５００は、車両２のピッチ角以外に、車両２の地面からの高さに関する情報を含む車両姿勢情報ＧをＨＵＤ１００に出力してもよい。なお、車両姿勢検出部５００の一部または全部は、車両用表示システム１外に設けられていてもよい。
【００１８】
図１のＨＵＤ１００は、例えば、画像表示部１０、リレー光学系２０及び制御部３０を有する。ＨＵＤ１００は、一般的に車両２のダッシュボードの中に収納されるが、画像表示部１０、リレー光学系２０及び制御部３０の全部または一部がダッシュボードの外部に配置されてもよい。ＨＵＤ１００（制御部３０）は、車両２に搭載される車載ＬＡＮ（Ｌｏｃａｌ  Ａｒｅａ  Ｎｅｔｗｏｒｋ）などからなるバス４に接続され、このバス４から車両情報の一部又は全部を入力することができる。
【００１９】
図２は、図１に示される画像表示部１０の構成の例を示す図である。以下の説明を容易にするため、図２に示されるように、画像表示部１０の表示面１１を正面から視認した際、表示面１１の左右方向をｄｘ軸（右方向をｄｘ軸正方向）と規定し、上下方向をｄｙ軸（上方向をｄｙ軸正方向）と規定する。なお、図２に示される表示面１１におけるｄｘ軸正方向は、例えば、図１の実空間におけるＸ軸正方向、すなわち車両２の右方向に対応する。同様に、図２に示される表示面１１におけるｄｙ軸正方向は、例えば、図１の実空間におけるＹ軸正方向、すなわち鉛直方向上側に対応する。なお、画像表示部１０からの画像光ＫがアイボックスＥへ到達するまでにリレー光学系２０などで反射される場合、図２の表示面１１のｄｘ軸正方向または／およびｄｙ軸正方向と、図１の実空間のＸ軸正方向または／およびＹ軸正方向とのそれぞれの関係が反転する場合がある。
【００２０】
図２に示したように、画像表示部１０は、表示画像１２を表示する表示面１１と、後述する制御部３０が生成する画像データＤに基づいて表示面１１に表示画像１２を表示させる図示しない駆動回路と、を有する。画像データＤは、表示画像１２を表示する位置に関する表示位置情報（以下では、表示位置とも呼ぶ）Ｑを含む。表示位置情報Ｑは、例えば、表示面１１の左右方向のｄｘ軸方向の座標と、上下方向のｄｙ軸方向の座標と、により少なくとも構成される。画像表示部１０の表示面１１から出射される画像光Ｋは、リレー光学系２０によりフロントウインドシールド２ａに導かれ、フロントウインドシールド２ａが視認者側に反射した画像光Ｋにより、虚像２０１を表示可能な仮想的な虚像領域２００が生成される。表示面１１に表示される表示画像１２は、虚像領域２００上で虚像２０１として表示される。すなわち、画像表示部１０は、画像データＤに含まれる表示位置情報Ｑに基づき、表示面１１上の表示画像１２が表示されるｄｘ軸方向の座標と、ｄｙ軸方向の座標とを変えることで、虚像領域２００上の虚像２０１が視認される実空間におけるＸ軸方向の座標と、Ｙ軸方向の座標とを調整することができる。
【００２１】
なお、画像表示部１０には、例えば、液晶表示素子などの透過型表示パネルや、有機ＥＬ素子などの自発光表示パネルや、ＤＭＤやＬＣｏＳ（登録商標）などの反射型表示パネルや、レーザー光を走査する走査型表示装置などを適用することができる。また、リレー光学系２０には、平面鏡、曲面鏡、自由曲面鏡などの反射光学系や、曲面レンズ、自由曲面レンズなどの透過型，屈折型の光学系や、ハーフミラーなどの半透過型光学系などを適用可能である。リレー光学系２０は、典型的には、画像表示部１０が生成する画像光Ｋを拡大する機能、フロントウインドシールド２ａの歪みを補正し、歪みのない虚像２０１を視認させる機能、虚像２０１を視認者から所定の距離だけ離れた位置で結像させる機能を有する。また、図１では、画像表示部１０及びリレー光学系２０を１つずつ図示してあるが、それぞれは複数設けられてもよい。
【００２２】
図３は、図１の制御部３０の概略構成例を示す。図３に示されるように、制御部３０は、例えば、処理部３１、記憶部３２及びインターフェース３３を含む。処理部３１は、例えばＣＰＵやＲＡＭで構成され、記憶部３２は、例えばＲＯＭで構成され、インターフェース３３は、バス４に接続される入出力通信インターフェースで構成される。例えば、インターフェース３３は、バス４を介して車両情報や後述する報知対象位置情報ＷＰ，車両姿勢情報Ｇ等を取得することができ、記憶部３２は、入力した報知対象位置情報ＷＰ及び車両姿勢情報Ｇに基づいて画像データＤおよび座標補正データＣを生成するためのデータを記憶することができ、処理部３１は、記憶部３２からのデータを読み取り、所定の動作を実行することで画像データＤおよび座標補正データＣを生成することができる。なお、インターフェース３３は、例えば、バス４を介して車両姿勢検出部５００から車両２の姿勢に関する情報を含む車両姿勢情報Ｇを取得することができ、本発明の請求項に記載の車両姿勢情報取得手段としての機能も有する。また、制御部３０は、本発明の請求項に記載のアクチュエータ４００を制御するアクチュエータ制御部としての機能も有する。なお、制御部３０は、ＨＵＤ１００の内部にあってもよく、その一部または全部の機能がＨＵＤ１００の外側の車両２側に設けられてもよい。
【００２３】
図４は、従来のＨＵＤにおいて、車両２の傾斜より、実景３に対する前方検出部３００の検出領域３２０の位置がずれる様子を説明するための図である。図４（ａ）に示されるように、車両２が傾斜していない場合、実景３の基準実景領域３ｒに重なるように検出領域３２０が配置される。しかし、例えば、車両２の荷室に多くの荷物が積まれたことなどに起因して、車両２の前方が鉛直方向上側に傾斜した場合、図４（ｂ）に示されるように、前方検出部３００の検出領域３２０は、実景３の基準実景領域３ｒから鉛直方向上側にずれてしまう。これにより、前方検出部３００は、通常では、実景３の基準実景領域３ｒに存在する報知対象Ｗの報知対象位置情報ＷＰをＨＵＤ１００に出力していたにも関わらず、車両２が傾いてしまった場合、実景３の基準実景領域３ｒに存在する報知対象Ｗの報知対象位置情報ＷＰをＨＵＤ１００に出力しないおそれがある。すなわち、ＨＵＤ１００は、車両２の姿勢によっては、実景３の基準実景領域３ｒに存在する報知対象Ｗに対して虚像２０１を表示することができなくなるおそれがある。本発明のＨＵＤ１００は、以下に説明する補正処理を実行することで、車両姿勢が変化した場合であっても、実景３の基準実景領域３ｒに対して虚像２０１を重ねて表示することが可能となる。
【００２４】
図５は、車両用表示システム１が実行する補正処理の例を示すフローチャートである。車両用表示システム１の前記補正処理は、例えば、車両２が起動されたとき、又は、車両２の電子機器に電力が供給されたとき、又は、車両２の起動または車両２の電子機器の電力供給から所定時間経過したときであり、かつ車両２が走行状態でない場合に開始される。
【００２５】
ステップＳ０１では、制御部３０は、車両姿勢検出部５００から車両２の車両姿勢に関する情報を含む車両姿勢情報Ｇを取得する。
【００２６】
ステップＳ０２では、制御部３０は、ステップＳ０１で取得した車両姿勢情報Ｇに対応するアクチュエータ４００の駆動量を含む駆動データ（制御量情報）Ｔを決定し、この駆動データＴに基づいてアクチュエータ４００を駆動する。具体的には、制御部３０は、記憶部３２に予め記憶されたテーブルデータを読み出し、ステップＳ０１で取得した車両姿勢情報Ｇに対応する駆動データＴを決定し、決定した駆動データＴに基づいてアクチュエータ４００を駆動することで前方検出部３００の角度を調整し、前方検出部３００の検出領域３２０を、実景３の基準実景領域３ｒの位置に移動させる。なお、ステップＳ０２で、制御部３０は、車両姿勢情報Ｇから駆動データＴを予め設定された算出式を用いて演算により求めてもよい。
【００２７】
ステップＳ０３では、制御部３０は、ステップＳ０１で取得した車両姿勢情報Ｇ、またはＳ０２で決定した駆動データＴに基づいて、座標補正データＣを決定し、この座標補正データＣを処理部３１のＲＡＭに一時的に保持する。具体的には、制御部３０は、記憶部３２に予め記憶されたテーブルデータを読み出し、車両姿勢情報Ｇまたは駆動データＴに対応する座標補正データＣを決定し、決定した座標補正データＣを処理部３１のＲＡＭに一時的に保持する。なお、ステップＳ０３で、制御部３０は、車両姿勢情報Ｇまたは駆動データＴから駆座標補正データＣを予め設定された算出式を用いて演算により求めてもよい。ちなみに、ステップＳ０２とステップＳ０３は、必ずしもこの順番である必要はなく、順番が入れ替わっても、または同時に実行されてもよい。
【００２８】
以上に説明した補正処理では、補正処理のステップＳ０２により、前方検出部３００は、報知対象Ｗを検出して報知対象位置情報ＷＰとして出力する検出領域３２０の位置を、実景３の基準実景領域３ｒと重なる位置に設定する。これにより、前方検出部３００は、基準実景領域３ｒに存在する報知対象Ｗの位置を示す報知対象位置情報ＷＰをＨＵＤ１００に出力可能となる。また、ステップＳ０３により座標補正データＣを決定することで、ＨＵＤ１００は、後述する表示処理時に、前方検出部３００から入力する報知対象位置情報ＷＰを座標補正データＣで補正し、ステップＳ０２で前方検出部３００の角度が調整された後でも実景３の基準実景領域３ｒに存在する報知対象Ｗに対応した位置に虚像２０１を表示可能となる。
【００２９】
図６は、車両用表示システム１が実行する表示処理の例を示すフローチャートである。車両用表示システム１の表示処理は、例えば、前記補正処理が完了した後に開始される。
【００３０】
ステップＳ１１では、前方検出部（撮像部）５は、車両２の前方の実景３を撮像する。ステップＳ１２では、前方検出部（画像解析部）５は、前記撮像部が撮像した前記前方撮像画像を解析し、検出領域３２０内に報知対象Ｗが存在するかを判定する。
【００３１】
検出領域３２０内に報知対象Ｗが存在しない（ステップＳ１２でＮｏ）場合、前方検出部３００は、ステップＳ１１に戻り、車両２の前方の実景３を再び撮像する。
検出領域３２０内に報知対象Ｗが存在する（ステップＳ１２でＹｅｓ）場合、ステップＳ１３では、前方検出部３００は、検出領域３２０内における報知対象Ｗの位置に関する情報を含む報知対象位置情報ＷＰを生成し、ＨＵＤ１００（制御部３０）に出力する。なお、例えば、ステップＳ１１の車両２の前方の実景３の撮像、ステップＳ１２の報知対象Ｗの有無の判定、ステップＳ１３の報知対象位置情報ＷＰの生成と出力は、車両２が起動している間、連続的に繰り返し行われ、前方検出部３００は、検出領域３２０内に報知対象Ｗの存在が確認される度に報知対象位置情報ＷＰを直ちに生成及び出力を行う。
【００３２】
ステップＳ１４では、制御部３０は、前方検出部３００から報知対象位置情報ＷＰを入力する。そして、ステップＳ１５では、制御部３０が、入力した報知対象位置情報ＷＰを前記補正処理のステップＳ０３で決定された座標補正データＣにより補正し、座標補正データＣにより補正された報知対象位置情報ＷＰに基づき、表示面１１の表示位置Ｑに表示画像１２を表示するように画像データＤを生成する。ステップＳ１６では、画像表示部１０は、制御部３０が生成した画像データＤに基づき、表示面１１上の表示位置Ｑに所望の表示画像１２を表示する。これにより、ＨＵＤ１００は、実景３の基準実景領域３ｒに存在する報知対象Ｗの位置に対応した位置に虚像２０１を表示することができる。
【００３３】
図５，図７を用いて、ＨＵＤ１００が実行する補正処理について、具体的に説明する。図７は、（ａ）から（ｄ）まででＨＵＤ１００が実行する前記補正処理の過程を示し、（ａ）〜（ｄ）それぞれにおける左図は、実空間におけるＸ−Ｙ平面における、実景３と前方検出部３００の検出可能領域３１０及び検出領域３２０との位置関係を示した図であり、（ａ）〜（ｄ）それぞれにおける右図は、実空間におけるＸ−Ｙ平面における実景３とＨＵＤ１００が生成する仮想的な虚像領域２００との位置関係を示した図である。なお、図７では、車両２の傾きにより、前方検出部３００の検出領域３２０またはＨＵＤ１００の虚像領域２００が実景３中の基準実景領域３ｒからずれる様子をわかりやすくするため、実景３中に報知対象Ｗを図示し、報知対象Ｗの報知対象位置情報ＷＰが補正される過程を示してあるが、ＨＵＤ１００が実行する補正処理においては、実景３内に報知対象Ｗが存在している必要はない。
【００３４】
図７（ａ）は、車両２の車両姿勢が傾いていない場合を示し、前方検出部３００の検出領域３２０は、実景３の基準実景領域３ｒに重なっており、ＨＵＤ１００の虚像領域２００も、同様に実景３の基準実景領域３ｒを含む配置になっている。この際、ＨＵＤ１００が表示処理を実行すると、前方検出部３００は、検出領域３２０内にある基準点Ｏを基準とした報知対象Ｗの位置を示す報知対象位置情報ＷＰ１（Ｘａ，Ｙａ）を生成し、ＨＵＤ１００の制御部３０に出力する。制御部３０は、報知対象位置情報ＷＰ１に基づいた表示面１１上の表示位置Ｑ１（ｘａ，ｙａ）に表示画像１２を表示することで、実景３の基準実景領域３ｒに存在する報知対象Ｗに対応した位置に虚像２０１を表示させることができる。
【００３５】
図７（ｂ）は、車両２の車両姿勢が傾いた場合を示し、前方検出部３００の検出領域３２０は、実景３の基準実景領域３ｒの鉛直方向上側にずれており、ＨＵＤ１００の虚像領域２００も、実景３の基準実景領域３ｒの鉛直方向上側にずれている。この段階でＨＵＤ１００が表示処理を実行しようとすると、前方検出部３００は、報知対象Ｗが検出領域３２０の外側にあるので、報知対象Ｗの位置を示す報知対象位置情報ＷＰ２（Ｘａ，Ｙｂ）を、ＨＵＤ１００の制御部３０に出力しない。したがって、ＨＵＤ１００は、報知対象Ｗに対応する位置に虚像２０１を表示することができない。
【００３６】
図７（ｃ）は、ＨＵＤ１００が図５に示す補正処理のステップＳ０２を実行し、アクチュエータ４００を駆動することで前方検出部（撮像部）３００の角度を調整させ、前方検出部３００の検出領域３２０を、実景３の基準実景領域３ｒの位置に移動させた場合の様子を示している。制御部３０は、補正処理のステップＳ０２により、前方検出部３００の角度を調整することで、前方検出部３００の検出領域３２０を基準実景領域３ｒと重なる位置に移動させる。すると、前方検出部３００は、基準点Ｏを基準とした報知対象Ｗの座標が変化する。具体的に例えば、前方検出部３００が生成する報知対象位置情報ＷＰは、図７（ｂ）に示す報知対象位置ＷＰ２（Ｘａ，Ｙｂ）の位置から鉛直方向（Ｙ軸方向）に例えばαだけずれた報知対象位置ＷＰ３（Ｘａ，Ｙｂ＋α）に変化する。よって、前方検出部３００から出力される報知対象位置情報ＷＰと、画像表示部１０が表示画像１２を表示する表示位置情報Ｑとの対応関係にずれが生じる。この段階でＨＵＤ１００が表示処理を実行しようとすると、画像表示部１０（ＨＵＤ１００）は、図７（ｃ）の右図に示される報知対象Ｗからずれた表示位置Ｑ３（ｘａ，ｙｂ＋β）に、表示画像１２（虚像２０１）を表示してしまうことになる。
【００３７】
図７（ｄ）は、前方検出部３００が図５に示す前記補正処理のステップＳ０３で決定した座標補正データＣに基づいて、ずれた報知対象位置情報ＷＰと表示位置情報Ｑとの対応関係を補正した後の様子を示している。制御部３０は、前記補正処理のステップＳ０３で決定した座標補正データＣに基づいて、例えば、前方検出部３００から入力した報知対象位置情報ＷＰ３（Ｘａ，Ｙｂ＋α）から前方検出部３００の角度の調整に伴うずれ量αを差し引く。制御部３０は、座標補正データＣにより補正された報知対象位置情報ＷＰ３に基づいた表示面１１上の表示位置Ｑ４（ｘａ，ｙｂ）に表示画像１２を表示させることで、実景３の基準実景領域３ｒに存在する報知対象Ｗに対応した位置に虚像２０１を表示させることができる。
【００３８】
以上に説明したように、本発明の車両用表示システム１は、車両２に搭載され、車両２の前方の実景３から所定の報知対象Ｗを検出可能であり、所定の検出領域３２０に存在する報知対象Ｗの位置に関する報知対象位置情報ＷＰを生成する前方検出部３００と、前方検出部３００が生成した報知対象位置情報ＷＰに基づいて、報知対象Ｗと所定の位置関係を保つ位置に虚像２０１を表示可能な仮想的な虚像領域２００を生成するＨＵＤ１００と、を備える車両用表示システム１であって、車両２の姿勢に関する情報を含む車両姿勢情報Ｇを取得するインターフェース（車両姿勢情報取得手段）３３と、前方検出部３００の角度を調整させることで検出領域３２０を移動させるアクチュエータ４００と、インターフェース３３が取得した車両姿勢情報Ｇに基づいてアクチュエータ４００を制御し、検出領域３２０が車両２前方の実景３のうち基準となる基準実景領域３ｒを含むように移動させる制御部３０と、を備え、ＨＵＤ１００は、インターフェース３３が取得した車両姿勢情報Ｇ、もしくは制御部３０がアクチュエータ４００を制御する制御量に関する駆動データ（制御量情報）Ｔに基づいて、虚像２０１が報知対象Ｗと所定の位置関係を保つ位置に表示されるように虚像２０１の位置を調整するものである。斯かる構成により、前方検出部３００が検出領域３２０の位置を実景３の基準実景領域３ｒに調整することができ、実景３の基準実景領域３ｒに存在する報知対象Ｗの位置に関する報知対象位置情報ＷＰを常にＨＵＤ１００に出力することができる。そして、ＨＵＤ１００が、車両姿勢情報Ｇ、もしくは制御部３０がアクチュエータ４００を制御する制御量に関する駆動データ（制御量情報）Ｔに基づいて、虚像２０１が表示される位置を調整することで、前方検出部３００が回転または回転および移動した場合であっても、報知対象Ｗと所定の位置関係を保つ位置に虚像２０１を精度よく表示することができる。なお、虚像２０１は、必ずしも報知対象Ｗに重なって視認される位置に表示される必要はなく、報知対象Ｗとの相対的な位置関係が保たれる報知対象Ｗから離れた位置に視認されるように表示されてもよい。
【００３９】
また、検出領域３２０が重なる実景３の領域は、虚像領域２００が重なる実景３の領域よりも狭い、言い換えれば、虚像２０１を表示可能な虚像領域２００は、検出領域３２０よりも広いため、検出領域３２０が移動した場合であっても、検出領域３２０（基準実景領域３ｒ）内に存在する報知対象Ｗに対して虚像２０１を表示しつづけることができる。
【００４０】
また、インターフェース３３は、前方検出部３００が検出可能な検出可能領域３１０よりも狭い検出領域３２０に重なる実景３に存在する報知対象Ｗの位置を報知対象位置情報ＷＰとして取得し、制御部３０は、座標補正データＣにより、前方検出部３００の検出領域３２０が基準実景領域３ｒを含む位置に変更させてもよい。このように、制御部３０（インターフェース３３）は、前方検出部３００の検出可能領域３１０よりも狭い検出領域３２０において検出した報知対象位置情報ＷＰを取得するため、制御部３０は、前方検出部３００が検出可能な検出可能領域３１０における情報を処理する必要がなく、報知対象位置情報ＷＰを処理する負荷を軽減することができる。
【００４１】
また、報知対象位置情報ＷＰは、検出領域３２０内における報知対象Ｗの相対的な位置情報を含んでもよい。報知対象位置情報ＷＰが、検出領域３２０内の少ない座標で表現可能であるため、報知対象位置情報ＷＰを処理する制御部３０の負荷を軽減することができる。
【００４２】
また、画像表示部１０は、車両姿勢情報Ｇ、もしくは制御部３０がアクチュエータ４００を制御する制御量に関する駆動データＴ（制御量情報）に基づいた表示画像１２のワーピングを行うものであってもよい。斯かる構成により、リレー光学系２０の移動または／および回転に伴う虚像２０１の歪を軽減することができる。
【符号の説明】
【００４３】
１…車両、２ａ…フロントウインドシールド（透過反射部）、２…アイボックス、３…実景、３ｒ…基準実景領域（特定の領域）、４…バス、５…前方検出部、６…車両姿勢検出部、１０…画像表示部、２０…リレー光学系、３０…アクチュエータ、４０…制御部（アクチュエータ制御部）、４１…処理部、４２…記憶部、４３…インターフェース（車両姿勢情報取得手段，停止情報取得手段，ドア状態情報取得手段）、５０…検出可能領域（検出可能な実景領域）、５１…検出領域、１００…ＨＵＤ（ヘッドアップディスプレイ）、２００…虚像領域、２０１…虚像、Ｃ…座標補正データ、Ｄ…画像データ、Ｇ…車両姿勢情報、Ｋ…画像光、Ｑ…表示位置情報（表示位置）、Ｗ…障害物、ＷＰ…報知対象位置情報（報知対象位置）、Ｔ…駆動データ（制御量情報）
【図１】
2016185768.tif 000003
【図２】
2016185768.tif 000004
【図３】
2016185768.tif 000005
【図４】
2016185768.tif 000006
【図５】
2016185768.tif 000007
【図６】
2016185768.tif 000008
【図７】
2016185768.tif 000009